(57)【要約】【課題】液体が貯蔵されたタンクから検査に適した液体を採取する。【解決手段】容器本体１０は、−Ｚ端部に底板部材２４を有する外筒２０と、外筒２０の内部に設けられた内筒２２と、を有している。また、外筒２０と内筒２２の長手方向が一致し、内筒２２の中空部３２が底板部材２４に形成された貫通孔３４と連通し、外筒２０の長さが内筒２２の長さよりも長くなっている。蓋部材１２は、外筒２０の＋Ｚ端部を閉塞している。そして、蓋部材１２は、外筒２０の＋Ｚ端部を閉塞した状態で容器本体１０と蓋部材１２を−Ｚ端部側から液体中に沈めたときに、容器本体１０を開放する。【選択図】図４
2020128937.tif 000002
【特許請求の範囲】
【請求項１】
一端に底部を有する外筒と、前記外筒の内部に設けられた内筒と、を有し、前記外筒と前記内筒の長手方向が一致し、前記内筒の内部空間が前記外筒の前記底部に形成された開口と連通し、前記外筒の軸方向の長さが前記内筒の軸方向の長さよりも長い、容器本体と、
前記外筒の他端を閉塞する蓋部材と、を備え、
前記蓋部材は、前記外筒の他端を閉塞した状態で前記容器本体及び前記蓋部材を前記一端側から液体中に沈めたときに、開放することを特徴とする液体採取用容器。
【請求項２】
前記蓋部材は、前記外筒の前記長手方向に移動することで、前記外筒の他端を開放することを特徴とする請求項１に記載の液体採取用容器。
【請求項３】
前記蓋部材の移動方向を前記外筒の前記長手方向に規制する規制部材を備える、請求項２に記載の液体採取用容器。
【請求項４】
前記規制部材は、前記外筒の長手方向に延び、その一端部が前記外筒の他端部近傍に固定された複数の棒状部分と、前記複数の棒状部分の他端部間を連結する連結部分と、を有する、ことを特徴とする請求項３に記載の液体採取用容器。
【請求項５】
前記複数の棒状部分の表面には、前記蓋部材の移動を阻害する加工が施されている又は前記蓋部材の移動を阻害する部材が設けられている、ことを特徴とする請求項４に記載の液体採取用容器。
【請求項６】
前記規制部材の前記連結部分に設けられた紐状部材を備える、請求項４又は５に記載の液体採取用容器。
【発明の詳細な説明】
【技術分野】
【０００１】
本発明は、液体採取用容器に関する。
【背景技術】
【０００２】
タンク内に貯蔵されている液状の製品（例えば硫酸など）の品質を検査するため、タンク内から液状サンプルを採取する必要がある場合がある。従来においては、柄杓を用いて、タンク内から液状サンプルを採取していた。
【先行技術文献】
【特許文献】
【０００３】
【特許文献１】実開昭５７−１２０２３１号公報
【特許文献２】実開昭６４−５０３４１号公報
【発明の概要】
【発明が解決しようとする課題】
【０００４】
しかしながら、タンクが屋外（例えば船上）にある場合には、タンク内に雨水が混入することがある。雨水が混入した液状の製品をサンプリングしてしまうと、濃度や成分を精度よく検査できないおそれがある。したがって、タンク内から液状サンプルを採取する場合には、雨水の影響の少ないタンクの下方から液状サンプルを採取することが好ましい。
なお、液体を採取するサンプリング装置や採水器として、特許文献１、２に記載のものが知られている。しかるに、特許文献１に記載のサンプリング装置は、構造が複雑である。また、特許文献２の採水器では、逆止弁が水面近くで開く可能性が高く、水面近くの水が採水器内に混入するおそれがある。
【０００５】
本明細書に記載の液体採取用容器は、上記の課題に鑑みてなされたものであり、簡易な構成で、タンク等から検査に適した液体を採取することを目的とする。
【課題を解決するための手段】
【０００６】
本明細書に記載の液体採取用容器は、一端に底部を有する外筒と、前記外筒の内部に設けられた内筒と、を有し、前記外筒と前記内筒の長手方向が一致し、前記内筒の内部空間が前記外筒の前記底部に形成された開口と連通し、前記外筒の軸方向の長さが前記内筒の軸方向の長さよりも長い、容器本体と、前記外筒の他端を閉塞する蓋部材と、を備え、前記蓋部材は前記外筒の他端を閉塞した状態で前記容器本体を前記一端側から液体中に沈めたときに、開放する液体採取用容器である。
【発明の効果】
【０００７】
本明細書に記載の液体採取用容器は、上記の課題に鑑みてなされたものであり、簡易な構成で、タンク等から検査に適した液体を採取することができるという効果を奏する。
【図面の簡単な説明】
【０００８】
【図１】一実施形態に係る液体採取用容器の構成を概略的に示す図である。
【図２】液体採取用容器を分解した状態を示す図である。
【図３】図３（ａ）〜図３（ｃ）は、液体採取用容器を用いた液体採取作業について説明するための図（その１）である。
【図４】図４（ａ）〜図４（ｃ）は、液体採取用容器を用いた液体採取作業について説明するための図（その２）である。
【発明を実施するための形態】
【０００９】
以下、一実施形態に係る液体採取用容器について、図１〜図４に基づいて詳細に説明する。図１には、一実施形態に係る液体採取用容器１００が示されている。なお、以下においては、図１における液体採取用容器１００の長手方向をＺ軸方向、紙面横方向をＸ軸方向、紙面直交方向をＹ軸方向として説明する。
【００１０】
液体採取用容器１００は、船上に設けられているタンクから、タンク内に貯蔵されている液体（例えば硫酸など）をサンプリング（採取）するための容器である。液体採取用容器１００を用いてサンプリングされた液体は、液体採取用容器１００から検査用の容器に移され、検査装置において濃度測定や成分分析などが行われる。
【００１１】
液体採取用容器１００は、図１に示すように、容器本体１０と、容器本体１０の＋Ｚ端部に設けられた蓋部材１２と、容器本体１０の＋Ｚ端部に設けられた規制部材としての逆Ｕ字状部材１４と、逆Ｕ字状部材１４に設けられた紐状部材としてのチェーン１６と、を備える。
【００１２】
図２には、液体採取用容器１００を分解した状態が示されている。なお、図２では、蓋部材１２のみ、＋Ｚ方向から見た状態が示されている。
【００１３】
容器本体１０は、図２に示すように、外筒２０と、底部としての底板部材２４と、内筒２２と、を有する。
【００１４】
外筒２０は、円筒状の部材であり、その−Ｚ端部に底板部材２４が設けられる。外筒２０の材料としては、例えばステンレス鋼などを用いることができる。
【００１５】
底板部材２４は、円板状の部材であり、その中央には、Ｚ軸方向に貫通する貫通孔（開口）３４が形成されている。底板部材２４の材料としては、例えばステンレス鋼などを用いることができる。
【００１６】
内筒２２は、外筒２０よりもＺ軸方向の寸法が短い円筒状の部材であり、内筒２２の−Ｚ端部は、底板部材２４の＋Ｚ側の面の中央部に溶接されている。これにより、底板部材２４の貫通孔３４と、内筒２２の中空部（内部空間）３２とが連通した状態となっている。内筒２２の材料としては、例えばステンレス鋼などを用いることができる。
【００１７】
本実施形態においては、底板部材２４に溶接された内筒２２が、外筒２０に対して−Ｚ側から挿入され、底板部材２４が外筒２０に溶接されることで、容器本体１０が形成されている。
【００１８】
蓋部材１２は、図２に示すように、略円板状の形状を有し、＋Ｘ端部及び−Ｘ端部には、凸部３６Ａ、３６Ｂが形成されている。凸部３６Ａ、３６Ｂそれぞれには、Ｚ軸方向に貫通する貫通孔３８Ａ、３８Ｂが形成されている。なお、蓋部材１２の材料としては、一例として、塩化ビニルを用いることができる。
【００１９】
逆Ｕ字状部材１４は、棒状部材を屈曲させたものであり、図１に示すように、その一端部と他端部が蓋部材１２の貫通孔３８Ａ、３８Ｂに挿通されている。逆Ｕ字状部材１４の一端部と他端部は、外筒２０の外面の＋Ｚ端部近傍に溶接されている。なお、逆Ｕ字状部材１４のＺ軸方向に延びる２つの部分は、棒状部分であると言え、２つの棒状部分の＋Ｚ端部間を連結する円弧状の部分は、連結部分であると言える。逆Ｕ字状部材１４の一端部近傍及び他端部近傍には、図２に示すように、凹凸４０Ａ、４０Ｂが形成されている。
【００２０】
本実施形態では、逆Ｕ字状部材１４に対して蓋部材１２が係合していることから、蓋部材１２の移動方向がＺ軸方向（外筒２０の長手方向）に規制されている。したがって、逆Ｕ字状部材１４は、蓋部材１２の移動方向を規制する規制部材であるといえる。また、本実施形態では、逆Ｕ字状部材１４に凹凸４０Ａ、４０Ｂが形成されていることにより、蓋部材１２が移動する際に蓋部材１２が凹凸４０Ａ、４０Ｂに引っ掛かることで、蓋部材１２の移動がスムーズに行えなくなっている。すなわち、凹凸４０Ａ、４０Ｂは、蓋部材２のＺ軸方向の移動（開閉）を阻害する部分であるといえる。
【００２１】
チェーン１６は、その一端部が逆Ｕ字状部材１４の＋Ｚ端部に接続されており、その他端部には、作業者によって把持されるハンドル（不図示）が設けられている。作業者は、液体採取用容器１００を液体に投入する際に、ハンドルを把持しておき、液体を採取できたタイミングで、ハンドルを用いて液体採取用容器１００を液体中から引き上げる。
【００２２】
（液体採取作業について）
次に、図３（ａ）〜図４（ｃ）に基づいて、液体採取用容器１００を用いた液体採取作業について、詳細に説明する。
【００２３】
図３（ａ）〜図４（ｃ）には、液体採取用容器１００を液体中に沈めるときの液体採取用容器１００の内部の状態が示されている。なお、図３（ａ）〜図４（ｃ）においては、図示の便宜上、液体採取用容器１００内に浸入した液体を黒塗りで示している。
【００２４】
まず、作業者が、図３（ａ）に示すように、液体採取用容器１００を上方（＋Ｚ側）から液体に近づけていき、図３（ｂ）に示すように、液体採取用容器１００を液体中に沈める。ここで、図３（ｂ）のように液体採取用容器１００全体が沈む前は、蓋部材１２は閉じた状態であるため、液体は内筒２２内には浸入しないようになっている。すなわち、液体採取用容器１００は、液面付近の液体を採取しないようになっている。
【００２５】
そして、作業者が、図３（ｃ）に示すように、液体採取用容器１００を更に液体中に沈め、蓋部材１２まで液体中に沈むと、蓋部材の浮力、及び、水圧によって内筒の一部に液体が浸入することによる容器内圧の上昇により、蓋部材１２がわずかに浮きはじめ（＋Ｚ方向に移動しはじめ）、蓋部材１２と外筒２０の＋Ｚ端部との間にわずかに隙間ができる。これにより、図３（ｃ）に示すように内筒２２内に液体が浸入してくるが、内筒２２内部から外筒２０側に液体が溢れるほどにはならない。また、内筒２２に液体が浸入してくることにより、容器本体１０内の空気が外筒２０と蓋部材１２の隙間から排出されるため、この隙間から外筒２０内に液体が浸入することはほとんどない。
【００２６】
また、作業者は、液体採取用容器１００を液体中に素早く沈めるため、図４（ａ）に示すような、より深い位置に到達した状態でも、外筒２０への液体の浸入はほとんどない（図３（ｃ）と同様）。
【００２７】
その後、図４（ｂ）に示すように、作業者が、液体採取用容器１００を素早く、ある一定以上の深さまで沈めた段階で、内筒２２内部から外筒２０側に液体が溢れる。また、蓋部材１２と外筒２０の隙間からも外筒２０内に液体が浸入してくる。そして、最終的には、図４（ｃ）に示すように、液体採取用容器１００（容器本体１０）内に液体が充填されることになる。
【００２８】
図４（ｃ）のように液体採取用容器１００内に液体が充填された後は、作業者は、チェーン１６を上方に引き上げることで、液体採取用容器１００を回収する。
【００２９】
本実施形態では、図３（ａ）〜図４（ｃ）からわかるように、液体採取用容器１００内に充填された液体は、液面から深い位置に存在していた液体であるため、タンク内に雨水が入り込んでいる場合であっても、検査用のサンプルとして適切なサンプルを採取することができる。
【００３０】
以上、詳細に説明したように、本実施形態によると、容器本体１０は、−Ｚ端部に底板部材２４を有する外筒２０と、外筒２０の内部に設けられた内筒２２と、を有している。そして、外筒２０と内筒２２の長手方向が一致し、内筒２２の中空部３２が底板部材２４に形成された貫通孔３４と連通し、外筒２０の長さが内筒２２の長さよりも長くなっている。また、蓋部材１２は、外筒２０の＋Ｚ端部を閉塞している。そして、蓋部材１２は、外筒２０の＋Ｚ端部を閉塞した状態で容器本体１０と蓋部材１２とを−Ｚ端部側から液体中に沈めたときに、容器本体１０の＋Ｚ端部を開放する。これにより、本実施形態では、蓋部材１２が液体中に入るまで、蓋部材１２が開かないため、内筒２２内に液体を浸入させないようにすることができる（図３（ｂ）参照）。そして、蓋部材１２全体が液体中に沈むとゆっくりと蓋部材１２が開くため、ある一定の深さに到達したとき（図４（ｂ）参照）に、内筒２２に浸入してきた液体が内筒２２から外筒２０側に溢れるとともに、蓋部材１２と外筒２０の隙間からも外筒２０内に液体が浸入するようになっている。このように、本実施形態の液体採取用容器１００によれば、簡易な構成で、液面から一定以上深い位置に存在していた液体のみを採取することができる。したがって、液体が貯蔵されたタンクが船上などにあり、タンク内に雨水が流れ込むような場合であっても、タンク内の液体から検査用の適切なサンプルを採取することが可能となっている。
【００３１】
また、本実施形態によると、蓋部材１２は、Ｚ軸方向（外筒２０の長手方向）に移動して、外筒２０の＋Ｚ端部を開放する。このため、蓋部材１２が斜めに開くような場合（例えば実開昭６４−５０３４１号公報）と比較して、蓋部材１２を開けにくくすることができる。したがって、図４（ｂ）の状態になるまでの時間を長くすることができるため、より深い位置で液体を採取することが可能となる。
【００３２】
また、本実施形態によると、逆Ｕ字状部材１４により蓋部材１２の移動方向を規制しているため、簡易な構成で、蓋部材１２の移動方向をＺ軸方向に規制することができる。
【００３３】
また、本実施形態によると、逆Ｕ字状部材１４の一端部近傍と他端部近傍に凹凸４０Ａ、４０Ｂが形成されている。このため、凹凸を形成しない場合と比較して、蓋部材１２を開けにくくすることができる。これにより、図４（ｂ）の状態になるまでの時間を長くすることができるため、より深い位置で液体を採取することが可能となる。
【００３４】
また、本実施形態では、蓋部材１２の移動方向を規制する逆Ｕ字状部材１４にチェーン１６が設けられている。すなわち、逆Ｕ字状部材１４に、蓋部材１２の移動方向を規制する機能と、チェーン１６を取り付ける機能とを持たせることができるため、各機能を別々の部材に持たせる場合に比べて、部品点数を少なくすることができる。
【００３５】
なお、上記実施形態では、逆Ｕ字状部材１４に凹凸４０Ａ、４０Ｂを形成し、蓋部材１２の移動を阻害する場合について説明したが、これに限られるものではない。例えば、凹凸４０Ａ、４０Ｂに代えて、蓋部材１２の移動を阻害する部材（例えば、摩擦係数の高いゴムなどの部材）を逆Ｕ字状部材１４に設けることとしてもよい。
【００３６】
なお、上記実施形態では、蓋部材１２の材料として塩化ビニルを用いる場合について説明したが、これに限らず、蓋部材１２を開けにくくするために、塩化ビニルよりも重い（密度の高い）材料を用いることとしてもよい。また、蓋部材１２と外筒２０との密閉性を高めることが可能な材料（例えばステンレス鋼）を用いることとしてもよい。
【００３７】
なお、上記実施形態では、逆Ｕ字状部材１４に代えて、Ｚ軸方向に延びる３以上の棒状部分と、３以上の棒状部分の−Ｚ端部間を連結する連結部分と、を有する部材を用いることとしてもよい。
【００３８】
なお、上記実施形態では、チェーン１６に代えて、その他の紐状部材を用いることとしてもよい。
【００３９】
上述した実施形態は本発明の好適な実施の例である。但し、これに限定されるものではなく、本発明の要旨を逸脱しない範囲内において種々変形実施可能である。
【符号の説明】
【００４０】
１０  容器本体
１２  蓋部材
１４  逆Ｕ字状部材（規制部材）
１６  チェーン（紐状部材）
２０  外筒
２２  内筒
２４  底板部材（底部）
３２  中空部（内部空間）
３４  貫通孔（開口）
１００  液体採取用容器
【図１】
2020128937.tif 000003
【図２】
2020128937.tif 000004
【図３】
2020128937.tif 000005
【図４】
2020128937.tif 000006